(57)【要約】【課題】従来に比して施工手間およびコストの低減を図ることができるとともに、就寝時の快適性を向上させることが可能な遮音吸音ボックスおよび部屋構造を提供することを目的とする。【解決手段】平面視略コ字状に形成される壁部２０と、この壁部２０の上部に設けられることによって該壁部２０の上部開放部を覆う天井部３０とを備えており、これら壁部２０および天井部３０は、それぞれ遮音手段２０ａ，３０ａおよび吸音手段２０ｂ，３０ｂを有していることを特徴とする遮音吸音ボックス１０と、この遮音吸音ボックス１０が設置されてなる部屋構造。これにより、壁部および天井部の周囲の静寂性を高めることができるとともに、従来とは異なり、施工に係る手間はなく、コストも低減させることが可能となる。【選択図】図１
2011017180.tif 000002
【特許請求の範囲】
【請求項１】
床面に立設されるとともに、中央壁部と、この中央壁部の両側部に設けられる側壁部とを有することによって平面視略コ字状に形成される壁部と、
この壁部の上部に設けられることによって該壁部の上部開放部を覆う天井部とを備えており、
これら壁部および天井部は、それぞれ遮音手段および吸音手段を有していることを特徴とする遮音吸音ボックス。
【請求項２】
請求項１に記載の遮音吸音ボックスにおいて、
前記遮音手段は、前記壁部および天井部の外側に設けられており、前記吸音手段は、前記壁部および天井部の内側に設けられていることを特徴とする遮音吸音ボックス。
【請求項３】
請求項１または２に記載の遮音吸音ボックスにおいて、
前記天井部は、前記壁部の中央壁部側に位置する第１構成部と、前記壁部の正面開放部側に位置する第２構成部とからなり、
前記第１構成部は、この第１構成部の中央壁部側端部と、前記中央壁部の上端部との間に第１回動手段が設けられることによって、前記中央壁部の上端部に回動自在に設けられており、
前記第２構成部は、この第２構成部の第１構成部側端部と、前記第１構成部の第２構成部側端部との間に第２回動手段が設けられることによって、前記第１構成部の第２構成部側端部に回動自在に設けられていることを特徴とする遮音吸音ボックス。
【請求項４】
請求項３に記載の遮音吸音ボックスにおいて、
前記第１構成部には、前記遮音手段および吸音手段が設けられており、
前記第２構成部は、この第２構成部の下方を照明するための照明手段が設けられてなる照明部とされていることを特徴とする遮音吸音ボックス。
【請求項５】
請求項３または４に記載の遮音吸音ボックスにおいて、
前記両側壁部の上面の所定の位置に、これら両側壁部の上面の短手方向に沿って、前記第２構成部の正面開放部側端部を引っ掛けるための切欠部が形成されていることを特徴とする遮音吸音ボックス。
【請求項６】
請求項１〜５のいずれか一項に記載の遮音吸音ボックスは、前記天井部がベッド・布団等の寝具が設置された場所の上方に位置するようにして部屋内に設置されていることを特徴とする部屋構造。
【発明の詳細な説明】
【技術分野】
【０００１】
本発明は、睡眠中の人の頭部付近を覆うための遮音吸音ボックスと、この遮音吸音ボックスが設置されてなる部屋構造に関する。
【背景技術】
【０００２】
特に就寝時などにおいて、隣室や廊下等からの音を遮断したり、吸音したりすることによって部屋内の静寂性を高めたいという要望があった。
そこで、従来は、壁、床、天井に遮音材や吸音材等を組み込むなどして、建物内の部屋内部への音の侵入を防止していた（例えば、特許文献１参照）。
【先行技術文献】
【特許文献】
【０００３】
【特許文献１】特開２００５−２６４７１５号公報
【発明の概要】
【発明が解決しようとする課題】
【０００４】
ところが、部屋全体の壁や床、天井に遮音材や吸音材を組み込むとなると、施工手間がかかるとともに、コストが高くなってしまう場合があった。
そこで、従来のように部屋の壁や床、天井に遮音材や吸音材を組み込まずとも、静寂性に優れ、快適に就寝できるような技術の開発が望まれていた。
【０００５】
本発明の課題は、従来に比して施工手間およびコストの低減を図ることができるとともに、就寝時の快適性を向上させることが可能な遮音吸音ボックスおよび部屋構造を提供することを目的とする。
【課題を解決するための手段】
【０００６】
請求項１に記載の発明は、遮音吸音ボックス１０であって、例えば図１〜図３に示すように、床面３に立設されるとともに、中央壁部２１と、この中央壁部２１の両側部に設けられる側壁部２２，２２とを有することによって平面視略コ字状に形成される壁部２０と、
この壁部２０の上部に設けられることによって該壁部２０の上部開放部を覆う天井部３０とを備えており、
これら壁部２０および天井部３０は、それぞれ遮音手段２０ａ，３０ａおよび吸音手段２０ｂ，３０ｂを有していることを特徴とする。
【０００７】
請求項１に記載の発明によれば、前記壁部２０と天井部３０とを備えており、これら壁部２０および天井部３０は、それぞれ遮音手段２０ａ，３０ａおよび吸音手段２０ｂ，３０ｂを有しているので、特に、周囲から前記壁部２０と天井部３０とで囲まれた部分への音に対する遮音性を確実に向上できるとともに、前記壁部２０と天井部３０とで囲まれた部分の吸音性を確実に向上させることができ、前記壁部２０および天井部３０の周囲の静寂性を高めることができる。
これによって、例えば、このような遮音吸音ボックス１０を部屋内のベッド・布団等の寝具が設置された場所に設置することで、この寝具の周囲の音を遮音・吸音することができるので、睡眠周期中の眠りの浅い時間帯であっても、この寝具を利用する人の睡眠環境を快適なものとすることができる。また、日常的に鼾声を立てて寝る人が前記壁部２０と天井部３０とで囲まれた部分に頭部を入れるようにして寝ることによって、この鼾声も吸音できるので、前記壁部２０と天井部３０とで囲まれた部分の外部で寝る人にとっても好適なものとなる。
また、部屋全体の壁や床、天井に前記遮音手段２０ａ，３０ａや吸音手段２０ｂ，３０ｂを組み込む必要がないので、従来とは異なり、施工に係る手間はなく、コストも低減させることが可能となる。
【０００８】
請求項２に記載の発明は、例えば図１および図２に示すように、請求項１に記載の遮音吸音ボックス１０において、
前記遮音手段２０ａ，３０ａは、前記壁部２０および天井部３０の外側に設けられており、前記吸音手段２０ｂ，３０ｂは、前記壁部２０および天井部３０の内側に設けられていることを特徴とする。
【０００９】
請求項２に記載の発明によれば、前記遮音手段２０ａ，３０ａは、前記壁部２０および天井部３０の外側に設けられており、前記吸音手段２０ｂ，３０ｂは、前記壁部２０および天井部３０の内側に設けられているので、周囲から前記壁部２０と天井部３０とで囲まれた部分への音に対する遮音性をより確実に向上できるとともに、前記壁部２０と天井部３０とで囲まれた部分の吸音性をより確実に向上させることができ、前記壁部２０および天井部３０の周囲の静寂性をより高めることができる。
【００１０】
請求項３に記載の発明は、例えば図１および図２に示すように、請求項１または２に記載の遮音吸音ボックス１０において、
前記天井部３０は、前記壁部２０の中央壁部２１側に位置する第１構成部３１と、前記壁部２０の正面開放部側に位置する第２構成部３２とからなり、
前記第１構成部３１は、この第１構成部３１の中央壁部側端部と、前記中央壁部２１の上端部との間に第１回動手段３３が設けられることによって、前記中央壁部２１の上端部に回動自在に設けられており、
前記第２構成部３２は、この第２構成部３２の第１構成部３１側端部と、前記第１構成部３１の第２構成部３２側端部との間に第２回動手段３４が設けられることによって、前記第１構成部３１の第２構成部３２側端部に回動自在に設けられていることを特徴とする。
【００１１】
請求項３に記載の発明によれば、前記第１構成部３１は、この第１構成部３１の中央壁部側端部と、前記中央壁部２１の上端部との間に第１回動手段３３が設けられることによって、前記中央壁部２１の上端部に回動自在に設けられており、前記第２構成部３２は、この第２構成部３２の第１構成部３１側端部と、前記第１構成部３１の第２構成部３２側端部との間に第２回動手段３４が設けられることによって、前記第１構成部３１の第２構成部３２側端部に回動自在に設けられているので、前記第１構成部３１を持ち上げるようにしながら天井部３０全体を回動させて、前記壁部２０の上部開放部を開閉できるとともに、前記第１構成部３１を持ち上げた状態で、前記第２構成部３２を回動させて、前記上部開放部の開閉の状態を変化させることができる。
これによって、前記壁部２０の上部開放部から入ってくる音の音量等を変化させたり、前記上部開放部から入ってくる空気の量を変化させたりすることができるので、例えば就寝前には前記上部開放部を開放させておいて周囲の音を確実に聞き取れるようにしておいたり、壁の上部に設置されるエアコンからの空気を前記上部開放部から効果的に取り込んだりすることができる。
【００１２】
請求項４に記載の発明は、例えば図１および図２に示すように、請求項３に記載の遮音吸音ボックス１０において、
前記第１構成部３１には、前記遮音手段３０ａおよび吸音手段３０ｂが設けられており、
前記第２構成部３２は、この第２構成部３２の下方を照明するための照明手段３２ａが設けられてなる照明部とされていることを特徴とする。
【００１３】
請求項４に記載の発明によれば、前記第１構成部３１には、前記遮音手段３０ａおよび吸音手段３０ｂが設けられており、前記第２構成部３２は、この第２構成部３２の下方を照明するための照明手段３２ａが設けられてなる照明部とされているので、前記第１構成部３１の遮音手段３０ａおよび吸音手段３０ｂによって、周囲から前記壁部２０と天井部３０とで囲まれた部分への音に対する遮音性および吸音性を向上させながら、前記第２構成部３２の下方を前記照明手段３２ａによって照明することができる。
また、前記第１構成部３１を持ち上げるようにしながら天井部３０全体を回動させて、前記壁部２０の上部開放部を開閉できるとともに、前記第１構成部３１を持ち上げた状態で、前記第２構成部３２を回動させて、前記上部開放部の開閉の状態を変化させることができることから、前記照明手段３２ａによる前記天井部３０の下方への照明の状態を変化させることができる。
【００１４】
請求項５に記載の発明は、例えば図１および図２に示すように、請求項３または４に記載の遮音吸音ボックス１０において、
前記両側壁部２２，２２の上面の所定の位置に、これら両側壁部２２，２２の上面の短手方向に沿って、前記第２構成部３２の正面開放部側端部を引っ掛けるための切欠部２３，２３が形成されていることを特徴とする。
【００１５】
請求項５に記載の発明によれば、前記両側壁部２２，２２の上面の所定の位置に、これら両側壁部２２，２２の上面の短手方向に沿って、前記第２構成部３２の正面開放部側端部を引っ掛けるための切欠部２３，２３が形成されているので、前記前記第１構成部３１を持ち上げるようにしながら天井部３０全体を回動させて、前記壁部２０の上部開放部を開放させ、さらに、この第１構成部３１を持ち上げた状態で、前記第２構成部３２を回動させて、前記切欠部２３，２３に前記第２構成部３２の正面開放部側端部を引っ掛けることで、前記壁部２０の上部開放部を開放させた状態のまま、固定することができる。
これによって、前記壁部２０の上部開放部を開放させた状態を維持することができるので、例えば、前記壁部２０の上部開放部から入ってくる音の音量等を変化させたり、前記上部開放部から入ってくる空気の量を変化させたり、前記照明手段３２ａによる前記天井部３０の下方への照明の状態を変化させたりすることを、継続して行うことができる。
【００１６】
請求項６に記載の発明は、部屋構造であって、例えば図１〜図３に示すように、請求項１〜５のいずれか一項に記載の遮音吸音ボックス１０は、前記天井部３０がベッド・布団等の寝具６が設置された場所の上方に位置するようにして部屋１内に設置されていることを特徴とする。
【００１７】
請求項６に記載の発明によれば、遮音吸音ボックス１０が、前記天井部３０がベッド・布団等の寝具６が設置された場所の上方に位置するようにして部屋１内に設置されているので、前記寝具６の周囲の音を遮音・吸音することができ、睡眠周期中の眠りの浅い時間帯であっても、この寝具６を利用する人の睡眠環境を快適なものとすることができる。また、日常的に鼾声を立てて寝る人が前記壁部２０と天井部３０とで囲まれた部分に頭部を入れるようにして寝ることによって、この鼾声も吸音できるので、前記壁部２０と天井部３０とで囲まれた部分の外部で寝る人にとっても好適なものとなる。
また、部屋全体の壁や床、天井に前記遮音手段２０ａ，３０ａや吸音手段２０ｂ，３０ｂを組み込む必要がないので、従来とは異なり、施工に係る手間はなく、コストも低減させることが可能となる。
【発明の効果】
【００１８】
本発明によれば、平面視略コ字状の壁部と天井部とを備えており、これら壁部および天井部は、それぞれ遮音手段および吸音手段を有しているので、特に、周囲から壁部と天井部とで囲まれた部分への音に対する遮音性を確実に向上できるとともに、壁部と天井部とで囲まれた部分の吸音性を確実に向上させることができ、壁部および天井部の周囲の静寂性を高めることができる。
これによって、例えば、このような遮音吸音ボックスを部屋内のベッド・布団等の寝具が設置された場所に設置することで、この寝具の周囲の音を遮音・吸音することができるので、睡眠周期中の眠りの浅い時間帯であっても、この寝具を利用する人の睡眠環境を快適なものとすることができる。また、日常的に鼾声を立てて寝る人が壁部と天井部とで囲まれた部分に頭部を入れるようにして寝ることによって、この鼾声も吸音できるので、壁部と天井部とで囲まれた部分の外部で寝る人にとっても好適なものとなる。
また、部屋全体の壁や床、天井に遮音手段や吸音手段を組み込む必要がないので、従来とは異なり、施工に係る手間はなく、コストも低減させることが可能となる。
【図面の簡単な説明】
【００１９】
【図１】本発明の遮音吸音ボックスおよび部屋構造を示す側断面図である。
【図２】図１に示す遮音吸音ボックスの天井部を回動させた状態を示す側断面図である。
【図３】図１の遮音吸音ボックスおよび部屋構造を示す正面図である。
【発明を実施するための形態】
【００２０】
以下、図面を参照して本発明の実施の形態について説明する。
図１は本発明に係る遮音吸音ボックスの一例を示す側断面図である。
図１において符号１は、部屋を示す。この部屋１は、四方の壁２と床３と天井４とで囲まれた空間を指しており、壁２には窓５が設けられている。なお、この窓５が設けられた壁２は、外部に面する外壁とされている。また、四方の壁２のうち、図示しない壁には、この部屋１と建物内の他のスペースとを連通する出入口が設けられているものとする。
また、この部屋１には、図１〜図３に示すように、寝具（ベッド）６，６が設けられており、寝室として使用されている。
そして、これら寝具６，６の一方の端部側に位置するようにして、遮音吸音ボックス１０が床面２に立設されている。なお、前記寝具６，６の一方の端部は、寝具６，６上に横臥する人の頭部が載せられる部分となっている。
【００２１】
この遮音吸音ボックス１０は、図１〜図３に示すように、床面３に立設されるとともに、中央壁部２１と、この中央壁部２１の両側部に設けられる側壁部２２，２２とを有することによって平面視略コ字状に形成される壁部２０と、この壁部２０の上部に設けられることによって該壁部２０の上部開放部を覆う天井部３０とを備えている。さらに、これら壁部２０および天井部３０は、それぞれ遮音手段２０ａ，３０ａおよび吸音手段２０ｂ，３０ｂを有している。
また、前記遮音手段２０ａ，３０ａは、前記壁部２０および天井部３０の外側に設けられており、前記吸音手段２０ｂ，３０ｂは、前記壁部２０および天井部３０の内側に設けられている。
【００２２】
ここで、前記遮音手段２０ａ，３０ａは遮音材である。この遮音材としては、例えば、石膏ボードや合板が使用される。
なお、本実施の形態においては、前記遮音材２０ａ，３０ａとして合板が用いられているものとする。
【００２３】
また、前記吸音手段２０ｂ，３０ｂは吸音材である。この吸音材としては、例えば、アルミニウム等の金属繊維，岩石を原料とするロックウール（岩綿）・高炉スラグを原料とするスラグウール（鉱さい綿）・ガラス繊維を原料とするグラスウールなどの無機質繊維，綿や麻などの植物繊維や羽毛や獣毛などの動物繊維等の有機質繊維（以下繊維類と呼ぶ）が使用される。
この繊維類を、綿状・ボード状・不織布状に成形して繊維と繊維の間に複雑に連続した多くの隙間や気泡を有する部材とすることで吸音性能を発揮することができる。
また、ポリウレタンなどの高分子物質を発泡させた発泡樹脂材料（ウレタンフォーム）を使用してもよい。
なお、本実施の形態においては、前記吸音材２０ｂ，３０ｂとしてグラスウールが用いられているものとする。
【００２４】
前記壁部２０は、上述のように前記中央壁部２１と両側壁部２２，２２とを有することによって平面視略コ字状に形成されており、これら中央壁部２１および両側壁部２２，２２は、それぞれ縦横の框材等の複数の軸組材２４ａを組み立てて形成される枠体２４によって構成されており、この枠体２４の一面側に前記遮音材２０ａが貼り付けられている。また、この枠体２４の枠内に前記吸音材２０ｂが充填されている。
また、この枠体２４の他面側には、この枠体２４と充填された吸音材２０ｂとを覆う化粧布２５が張設されている。
なお、前記遮音材２０ａが貼り付けられる枠体２４の一面とは、前記平面視略コ字状に形成された壁部２０の外側の面を指している。また、前記吸音材２０ｂは、この遮音材２０ａよりも内側に位置している。つまり、平面視略コ字状の壁部２０の内側（入隅側）の面に設けられている。
【００２５】
前記天井部３０は、前記壁部２０の中央壁部２１側に位置する第１構成部３１と、前記壁部２０の正面開放部側に位置する第２構成部３２とからなる。
また、前記第１構成部３１は、この第１構成部３１の中央壁部側端部と、前記中央壁部２１の上端部との間に第１回動手段３３が設けられることによって、前記中央壁部２１の上端部に回動自在に設けられている。
さらに、前記第２構成部３２は、この第２構成部３２の第１構成部３１側端部と、前記第１構成部３１の第２構成部３２側端部との間に第２回動手段３４が設けられることによって、前記第１構成部３１の第２構成部３２側端部に回動自在に設けられている。
【００２６】
また、これら第１および第２構成部３１，３２は、縦横の框材等の複数の軸組材３５ａを組み立てて形成される枠体３５によって構成されており、この枠体３５の一面側に前記遮音材３０ａが貼り付けられている。
【００２７】
また、前記第１構成部３１を構成する枠体３５の枠内には、前記吸音材３０ｂが充填されている。さらに、この第１構成部３１の枠体３５の他面側には、前記遮音材３０ａと同様の材質の内側面材３５ｂが貼り付けられている。
【００２８】
さらに、前記第２構成部３２を構成する枠体３５の枠内には、この第２構成部３２の下方を照明するための照明手段３２ａが設けられている。この照明手段３２ａは、例えばＬＥＤ（Light Emitting Diode）照明器具であり、前記遮音材３０ａの枠体３５側面（下面）に固定されている。
また、この第２構成部３２を構成する枠体３５の他側面には、この照明手段３２ａの下方に位置するガラス等の透光性部材（図示せず）が貼り付けられている。
なお、この透光性部材が設けられない部分には、前記第１構成部３２と同様に内側面材３５ｂが設けられている。
【００２９】
また、この枠体３５の他面側、すなわち前記第１構成部３１および第２構成部３２の下面には化粧布３６が張設されている。
なお、前記遮音材３０ａが貼り付けられる枠体３５の一面とは、前記天井部３０上面を指している。
【００３０】
一方、前記第１回動手段３３としては、図１および図２に示すように、例えば蝶番が使用されており、この蝶番３３の一方の片が前記第１構成部３１の中央壁部側端部に固定され、他方の片が前記中央壁部２１の上端部に固定されている。
また、これら一方の片と他方の片とが回動自在に接続される回動部は、前記第１構成部３１の中央壁部側端面の下側縁部に沿うとともに、前記中央壁部２１の上面の内側縁部に沿う位置に設けられている。
【００３１】
さらに、前記第２回動手段３４も同様に蝶番が使用されており、この蝶番の一方の片が前記第２構成部３２の第１構成部３１側端部に固定され、他方の片が前記第１構成部３１の第２構成部３２側端部に固定されている。
また、これら一方の片と他方の片とが回動自在に接続される回動部は、前記第２構成部３２の第１構成部３１側端面の下側縁部と、前記第１構成部３１の第２構成部３２側端面の下側縁部とに沿う位置に設けられている。
【００３２】
また、これら第１および第２回動手段３３，３４は、カバー３３ａ，３４ａによって覆われており、外側から見えないようになっている。
このようなカバー３３ａ，３４ａは、例えば蛇腹状に形成された伸縮性を有するものによって構成されている。
【００３３】
そして、以上のような天井部３０によれば、前記第１構成部３１を持ち上げるようにしながら天井部３０全体を回動させて、前記壁部２０の上部開放部を開閉できるとともに、前記第１構成部３１を持ち上げた状態で、前記第２構成部３２を回動させて、前記上部開放部の開閉の状態を変化させることができるようになっている。
【００３４】
また、このような天井部の構成に伴って、前記両側壁部２２，２２の上面の所定の位置には、図１および図２に示すように、これら両側壁部２２，２２の上面の短手方向に沿って、前記第２構成部３２の正面開放部側端部を引っ掛けるための切欠部２３，２３が形成されている。
これら切欠部２３，２３は、各側壁部２２，２２の同じ位置にそれぞれ形成されており、前記前記第１構成部３１を持ち上げるようにしながら天井部３０全体を回動させて、前記壁部２０の上部開放部を開放させ、さらに、この第１構成部３１を持ち上げた状態で、前記第２構成部３２を回動させて、前記切欠部２３に前記第２構成部３２の正面開放部側端部を引っ掛けることで、前記壁部２０の上部開放部を開放させた状態のまま、固定することができる。
【００３５】
なお、これら切欠部２３，２３は、本実施の形態においては、図１および図２に示すように、１列分しか形成されていないが、これに限られるものではなく、２列分以上形成してもよいものとする。これによって、前記天井部３０を回動させることによる前記壁部２０の上部開放部の開放度合いを段階的に調節できるとともに、その状態を維持することができる。
【００３６】
以上のような遮音吸音ボックス１０を、部屋１内に設置する際は、図１〜図３に示すように、前記天井部３０が前記寝具６，６が設置された場所の上方に位置するようにして部屋１内に設置する。すなわち、寝具６，６上に横臥する人の頭部が載せられる部分である前記寝具６，６の一方の端部の上方に、前記天井部３０が位置するようにして配置されている。
なお、前記寝具６，６を、これら寝具６，６の一方の端部によって、前記中央壁部２１を壁２側に押さえつけるようにして設置することによって、前記遮音吸音ボックス１０，１０を固定できるので好ましい。
また、本実施の形態の寝具６，６はベッドとされているが、これに限られるものではなく、布団でもよい。さらに、人が前記壁部２０と天井部３０とで囲まれた部分に自身の頭部を入れるだけでもよく、これによって、前記壁部２０と天井部３０とで囲まれた部分に頭部を入れた人に対する遮音・吸音の効果を確実に発揮することができる。
【００３７】
本実施の形態によれば、前記壁部２０と天井部３０とを備えており、これら壁部２０および天井部３０は、それぞれ遮音手段２０ａ，３０ａおよび吸音手段２０ｂ，３０ｂを有しているので、特に、周囲から前記壁部２０と天井部３０とで囲まれた部分への音に対する遮音性を確実に向上できるとともに、前記壁部２０と天井部３０とで囲まれた部分の吸音性を確実に向上させることができ、前記壁部２０および天井部３０の周囲の静寂性を高めることができる。
これによって、例えば、このような遮音吸音ボックス１０を部屋内のベッド・布団等の寝具が設置された場所に設置することで、この寝具の周囲の音を遮音・吸音することができるので、睡眠周期中の眠りの浅い時間帯であっても、この寝具を利用する人の睡眠環境を快適なものとすることができる。また、日常的に鼾声を立てて寝る人が前記壁部２０と天井部３０とで囲まれた部分に頭部を入れるようにして寝ることによって、この鼾声も吸音できるので、前記壁部２０と天井部３０とで囲まれた部分の外部で寝る人にとっても好適なものとなる。
また、部屋全体の壁や床、天井に前記遮音手段２０ａ，３０ａや吸音手段２０ｂ，３０ｂを組み込む必要がないので、従来とは異なり、施工に係る手間はなく、コストも低減させることが可能となる。
【００３８】
また、前記遮音手段２０ａ，３０ａは、前記壁部２０および天井部３０の外側に設けられており、前記吸音手段２０ｂ，３０ｂは、前記壁部２０および天井部３０の内側に設けられているので、周囲から前記壁部２０と天井部３０とで囲まれた部分への音に対する遮音性をより確実に向上できるとともに、前記壁部２０と天井部３０とで囲まれた部分の吸音性をより確実に向上させることができ、前記壁部２０および天井部３０の周囲の静寂性をより高めることができる。
【００３９】
また、前記第１構成部３１は、この第１構成部３１の中央壁部側端部と、前記中央壁部２１の上端部との間に第１回動手段３３が設けられることによって、前記中央壁部２１の上端部に回動自在に設けられており、前記第２構成部３２は、この第２構成部３２の第１構成部３１側端部と、前記第１構成部３１の第２構成部３２側端部との間に第２回動手段３４が設けられることによって、前記第１構成部３１の第２構成部３２側端部に回動自在に設けられているので、前記第１構成部３１を持ち上げるようにしながら天井部３０全体を回動させて、前記壁部２０の上部開放部を開閉できるとともに、前記第１構成部３１を持ち上げた状態で、前記第２構成部３２を回動させて、前記上部開放部の開閉の状態を変化させることができる。
これによって、前記壁部２０の上部開放部から入ってくる音の音量等を変化させたり、前記上部開放部から入ってくる空気の量を変化させたりすることができるので、例えば就寝前には前記上部開放部を開放させておいて周囲の音を確実に聞き取れるようにしておいたり、壁の上部に設置されるエアコンからの空気を前記上部開放部から効果的に取り込んだりすることができる。
【００４０】
また、前記第１構成部３１には、前記遮音手段３０ａおよび吸音手段３０ｂが設けられており、前記第２構成部３２は、この第２構成部３２の下方を照明するための照明手段３２ａが設けられてなる照明部とされているので、前記第１構成部３１の遮音手段３０ａおよび吸音手段３０ｂによって、周囲から前記壁部２０と天井部３０とで囲まれた部分への音に対する遮音性および吸音性を向上させながら、前記第２構成部３２の下方を前記照明手段３２ａによって照明することができる。
また、前記第１構成部３１を持ち上げるようにしながら天井部３０全体を回動させて、前記壁部２０の上部開放部を開閉できるとともに、前記第１構成部３１を持ち上げた状態で、前記第２構成部３２を回動させて、前記上部開放部の開閉の状態を変化させることができることから、前記照明手段３２ａによる前記天井部３０の下方への照明の状態を変化させることができる。
【００４１】
また、前記両側壁部２２，２２の上面の所定の位置に、これら両側壁部２２，２２の上面の短手方向に沿って、前記第２構成部３２の正面開放部側端部を引っ掛けるための切欠部２３，２３が形成されているので、前記前記第１構成部３１を持ち上げるようにしながら天井部３０全体を回動させて、前記壁部２０の上部開放部を開放させ、さらに、この第１構成部３１を持ち上げた状態で、前記第２構成部３２を回動させて、前記切欠部２３，２３に前記第２構成部３２の正面開放部側端部を引っ掛けることで、前記壁部２０の上部開放部を開放させた状態のまま、固定することができる。
これによって、前記壁部２０の上部開放部を開放させた状態を維持することができるので、例えば、前記壁部２０の上部開放部から入ってくる音の音量等を変化させたり、前記上部開放部から入ってくる空気の量を変化させたり、前記照明手段３２ａによる前記天井部３０の下方への照明の状態を変化させたりすることを、継続して行うことができる。
【００４２】
また、遮音吸音ボックス１０が、前記天井部３０がベッド・布団等の寝具６が設置された場所の上方に位置するようにして部屋１内に設置されているので、前記寝具６の周囲の音を遮音・吸音することができ、睡眠周期中の眠りの浅い時間帯であっても、この寝具６を利用する人の睡眠環境を快適なものとすることができる。また、日常的に鼾声を立てて寝る人が前記壁部２０と天井部３０とで囲まれた部分に頭部を入れるようにして寝ることによって、この鼾声も吸音できるので、前記壁部２０と天井部３０とで囲まれた部分の外部で寝る人にとっても好適なものとなる。
また、部屋全体の壁や床、天井に前記遮音手段２０ａ，３０ａや吸音手段２０ｂ，３０ｂを組み込む必要がないので、従来とは異なり、施工に係る手間はなく、コストも低減させることが可能となる。
【符号の説明】
【００４３】
１  部屋
１０  遮音吸音ボックス
２０  壁部
２０ａ  遮音材
２０ｂ  吸音材
３０  天井部
３０ａ  遮音材
３０ｂ  吸音材
【図１】
2011017180.tif 000003
【図２】
2011017180.tif 000004
【図３】
2011017180.tif 000005